【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
インターネット・プレゼンテーション・システムであって、
プレゼンテーションファイルを作成及び編集するためのプレゼンテーション・アプリケーションを具備し、
前記プレゼンテーション・アプリケーション及び前記プレゼンテーションファイルを格納するための第１遠隔記憶装置を具備し、当該第１遠隔記憶装置はインターネットを介してアクセス可能であると共にユーザモードと管理モードのオペレーションでアクセス可能であり、
前記ユーザモードのオペレーションでインターネットを介して前記プレゼンテーション・アプリケーションにアクセスできるようにウエブベースのユーティリティを組み込んだユーザアクセス装置を具備し、当該ユーザアクセス装置は前記ユーザモードのオペレーションで前記プレゼンテーションファイルの実行、作成、及び編集が可能で、前記プレゼンテーションファイルの作成にはコンポーネント配列情報を含む予め定められたグループのスライドテンプレートファイルの少なくとも一つを使用しなければならず、前記テンプレートファイルは前記ユーザモードのオペレーションでは編集不可であり、
前記管理モードのオペレーションで前記第１遠隔記憶装置にアクセスするための管理アクセス装置を具備し、前記第１遠隔記憶装置は前記管理モードのオペレーションで前記スライドテンプレートファイルの除去、追加、及び編集を許可することを特徴とするインターネット・プレゼンテーション・システム。
【請求項２】
前記管理アクセス装置にはウエブベースのユーティリティが組み込まれており、インターネットを介して前記第１遠隔記憶装置にアクセスすることを特徴とする請求項１に記載のインターネット・プレゼンテーション・システム。
【請求項３】
前記プレゼンテーションファイルの作成には、スライド内の特定のコンポーネントにおける色の選択を制約するために、予め定められたカラースキームファイルの一つを使用しなければならず、当該カラースキームファイルは前記ユーザモードのオペレーションでは編集不可であり、
前記第１遠隔記憶装置は前記管理モードのオペレーションで前記スライドテンプレートファイルの除去、追加、及び編集を許可することを特徴とする請求項１に記載のインターネット・プレゼンテーション・システム。
【請求項４】
前記第１遠隔記憶装置は前記ユーザモードのオペレーションでアクセスしてくる全てのユーザアクセス装置の情報を自動的に収集することを特徴とする請求項１に記載のインターネット・プレゼンテーション・システム。
【請求項５】
前記収集された情報は、前記ユーザモードのオペレーションでアクセスしてくるユーザアクセス装置のユーザ名、ＩＰアドレス、ホスト名、及び言語を含むものであり、前記情報は後から前記管理アクセス装置が前記管理モードのオペレーションでアクセスするためにデータベースに格納されることを特徴とする請求項４に記載のインターネット・プレゼンテーション・システム。
【請求項６】
前記収集された情報は、前記ユーザアクセス装置の前記プレゼンテーション・アプリケーションへのアクセス回数を含むことを特徴とする請求項５に記載のインターネット・プレゼンテーション・システム。
【請求項７】
前記収集された情報は、プレゼンテーションファイル作成の際に、前記スライドテンプレートファイルがアクセスされた回数を含むことを特徴とする請求項４に記載のインターネット・プレゼンテーション・システム。
【請求項８】
スライドテンプレートファイルの編集及び除去は前記収集された情報により決定されることを特徴とする請求項７に記載のインターネット・プレゼンテーション・システム。
【請求項９】
前記プレゼンテーション・アプリケーションはJava（登録商標）ベースのユーティリティであることを特徴とする請求項１に記載のインターネット・プレゼンテーション・システム。
【請求項１０】
前記ユーザアクセス装置は、前記ユーザモードのオペレーションでインターネットを介して前記第１遠隔記憶装置にアクセスする複数のコンピュータ計算装置の一つであることを特徴とする請求項１に記載のインターネット・プレゼンテーション・システム。
【請求項１１】
前記複数のコンピュータ計算装置は、パーソナル・デジタル・アシスタント、プロジェクタ装置、及びパーソナルコンピュータシステムのうちのどれかであることを特徴とする請求項１０に記載のインターネット・プレゼンテーション・システム。
【請求項１２】
前記プロジェクタ装置は、ファームウエアに組み込まれたプレゼンテーションプレーヤーを備えていることを特徴とする請求項１１に記載のインターネット・プレゼンテーション・システム。
【請求項１３】
前記プロジェクタ装置は、インターネットを介してユーザが前記第１遠隔記憶装置にログオンできるようにＬＣＤパネルを備えていることを特徴とする請求項１２に記載のインターネット・プレゼンテーション・システム。
【請求項１４】
前記パーソナルコンピュータシステムは周辺コンピュータ計算装置を備え、当該周辺コンピュータ計算装置は自らを識別するＩＤシーケンスを記憶するための記憶場所を有しており、
前記第１遠隔記憶装置は所定のリストに掲載された周辺コンピュータ計算装置を識別するハードウエア識別コードの記録を保持しており、
前記パーソナルコンピュータシステムは、前記第１遠隔記憶装置が前記パーソナルコンピュータシステムに接続された周辺装置の情報を要求すると前記ＩＤシーケンスを前記第１遠隔記憶装置に送信し、
前記第１遠隔記憶装置は、前記ＩＤシーケンスが前記ハードウエア識別コードのどれとも一致しない場合は前記パーソナルコンピュータシステムへのアクセスを拒否することを特徴とする請求項１１に記載のインターネット・プレゼンテーション・システム。
【請求項１５】
前記複数のコンピュータ計算装置は、デフォルトではビュー専用オプションで前記プレゼンテーションファイルにアクセスして、前記プレゼンテーションファイルを編集する前に前記第１遠隔記憶装置に許可を要請しなければならず、前記第１遠隔記憶装置は、前記プレゼンテーションファイルの編集を許可された全てのコンピュータ計算装置が記録された、ビュー可能な記録を保持していることを特徴とする請求項１１に記載のインターネット・プレゼンテーションシステム。
【請求項１６】
プレゼンテーションファイルを変更する編集許可を付与されたユーザアクセス装置がその編集許可を放棄するまでは、別のユーザアクセス装置は同じプレゼンテーションファイルを変更する編集許可を得られないことを特徴とする請求項１５に記載のインターネット・プレゼンテーション・システム。
【請求項１７】
前記プレゼンテーションファイルの変更は、前記遠隔記憶装置のデータベースファイルの変更として記録されることを特徴とする請求項１６に記載のインターネット・プレゼンテーション・システム。
【請求項１８】
プレゼンテーションファイルを変更する編集許可を付与されたユーザアクセス装置は第２遠隔記憶装置にもアクセスすることができ、当該第２遠隔記憶装置はインターネットを介してアクセスできると共に少なくとも一つの画像ファイルを保存することができ、前記ユーザアクセス装置は前記第２遠隔記憶装置から前記画像を検索するように前記第１遠隔記憶装置に要求を出すことによって、前記画像を前記プレゼンテーションファイルに添付することを特徴とする請求項１６に記載のインターネット・プレゼンテーション・システム。
【請求項１９】
前記管理アクセス装置はさらに、前記第１遠隔記憶装置上に、異なる記憶限度を有する複数のユーザクラスを作成することができ、
前記ユーザアクセス装置は、前記ユーザモードのオペレーションで前記遠隔記憶装置にアクセスする複数のユーザアクセス装置の一つであって、当該複数のユーザアクセス装置は前記管理アクセス装置によって決定された前記ユーザクラスに分類されていることを特徴とする請求項１に記載のインターネット・プレゼンテーション・システム。
【請求項２０】
前記管理アクセス装置はさらに、各ユーザアクセスクラス内の一員であるそれぞれのユーザアクセス装置に特定の記憶空間量を割り当てことができることを特徴とする請求項１９に記載のインターネット・プレゼンテーション・システム。
【請求項２１】
前記管理アクセス装置はさらに、前記ユーザクラスに名称を付けることができることを特徴とする請求項２０に記載のインターネット・プレゼンテーションシステム。